(57)【要約】【目的】乳幼児等がテーブルの脚や天板に衝突しても怪我をする虞の少ないテーブルを提供する。【構成】天板２と該天板２の下部に設けた脚部３、４を有するテーブル１において、前記脚部３、４は、芯材１０と該芯材１０の外周部を被覆する緩衝材１１を有する。また、天板２の側部で、かつ、その全周に亘って緩衝材８を配設する。【選択図】図２
0003118117.tif 000002
【実用新案登録請求の範囲】
【請求項１】
天板と該天板の下部に設けた脚部を有するテーブルにおいて、
前記脚部は、芯材と該芯材の外周部を被覆する緩衝材を有することを特徴とするテーブル。
【請求項２】
前記緩衝材を前記芯材の外周部に一体に成形したことを特徴とする請求項１記載のテーブル。
【請求項３】
前記天板を構成する主体部の側部で、かつその全周に亘って、緩衝材を一体に成形したことを特徴とする請求項１又は２記載のテーブル。
【請求項４】
前記テーブルの前後方向の一方の側に位置する前記脚部を、前記天板の側面より突出することなく設け、
前記テーブルの前後方向の他方の側に位置する前記脚部を、その垂直部の内側面が、前記天板の左右の側面よりも外側に位置するようにして設けたことを特徴とする請求項１乃至３のいずれかに記載のテーブル。
【考案の詳細な説明】
【技術分野】
【０００１】
本考案は、テーブルに関する。
【背景技術】
【０００２】
従来、テーブルの脚は、金属や木材などの硬質材で形成されている。
また、テーブルの天板は、木材などの硬質材で形成された主体部の側部に、前記主体部とは別体で形成したエッジ部を配設して構成されている。
【考案の開示】
【考案が解決しようとする課題】
【０００３】
前記従来のテーブルにおいては、その脚の外周面は硬く、乳幼児等がその脚に頭等をぶつけると、怪我をする虞がある。
【０００４】
また、前記従来のテーブルの天板においては、そのエッジ部を主体部とは別体に製造して、これを主体部に嵌め込んで構成されているために、エッジ部を一定以上の硬さで形成し、前記主体部から抜け落ちないようにする必要がある。このため、乳幼児等がそのエッジ部に頭等をぶつけた場合において、乳幼児等の怪我を防止できるほどに、エッジ部の硬さを軟らかくすることができないという問題がある。
【０００５】
そこで本考案は、乳幼児等が脚や天板の側周部に衝突しても怪我ををする虞の少ないテーブルを提供することを目的とするものである。  
【課題を解決するための手段】
【０００６】
前記の課題を解決するために、請求項１記載の考案は、天板と該天板の下部に設けた脚部を有するテーブルにおいて、
前記脚部は、芯材と該芯材の外周部を被覆する緩衝材を有することを特徴とするものでである。
【０００７】
請求項２記載の考案は、請求項１記載の考案において、前記緩衝材を前記芯材の外周部に一体に成形したことを特徴とするものである。
【０００８】
請求項３記載の考案は、請求項１又は２記載の考案において、前記天板を構成する主体部の側部で、かつその全周に亘って、緩衝材を一体に成形したことを特徴とするものである。
【０００９】
請求項４記載の考案は、請求項１乃至３のいずれかに記載の考案において、前記テーブルの前後方向の一方の側に位置する前記脚部を、前記天板の側面より突出することなく設け、
前記テーブルの前後方向の他方の側に位置する前記脚部を、その垂直部の内側面が、前記天板の左右の側面よりも外側に位置するようにして設けたことを特徴とするものである。
【考案の効果】
【００１０】
本考案によれば、脚部の芯材の外周部を緩衝材で被覆していることから、脚部の芯材が外見上に露出せず、その脚部に乳幼児等がその頭等を衝突した場合においても、緩衝材により衝突の衝撃を緩和し、乳幼児等が怪我をする虞を低減できる。
【００１１】
請求項２記載の考案によれば、更に、緩衝材を芯材の外周部に一体に成形したことにより、脚部の製造が容易である。
【００１２】
請求項３記載の考案によれば、更に、天板の側部でかつ全周に亘って緩衝材を一体に成形したことから、緩衝材の硬さを軟らかくしても、緩衝材と天板の主体部との密着性が高く、主体部から緩衝材が抜け落ちることを防止できる。そのため、緩衝材の硬さを軟らかく形成することで、天板の側部や角に乳幼児等の頭等が衝突した場合においても、緩衝材により衝突の衝撃を緩和し、乳幼児等が怪我をする虞を低減できる。
【００１３】
請求項４記載の考案によれば、更に、テーブルを積み重ねて収納する際における収納性が向上する。
【考案を実施するための最良の形態】
【００１４】
本考案を実施するための最良の形態を図１乃至図１５に示す実施例に基づいて説明する。
【００１５】
本考案のテーブル１は、天板２と該天板２の下部に設けられた前側の脚部３と後側の脚部４とを有する。以下において、図１に示すテーブル１のＡ側を前側とし、Ｂ側を後ろ側として説明する。
【００１６】
前記天板２の上面形状は、図１に示すように、長方形に形成され、その４方の角は丸みを持たせて形成されている。天板２は、木材等の硬質材で形成された芯材５を有し、図３に示すように、該芯材５の上面は表面材６で被覆され、該芯材５の下面は裏面材７で被覆されている。該芯材５の側面５ａには、全周に亘って凹部５ｂが形成されている。この芯材５と表面材６と裏面材７で天板２の主体部２Ａを構成している。
【００１７】
前記主体部２Ａの側面２Ｂには弾性を有し、軟らかい緩衝材８が配設されている。該緩衝材８の内周面８ａには、図３、図５に示すように、凸部８ｂが設けられ、該凸部８ｂは前記芯材５の凹部５ｂに嵌合している。主体部２Ａと緩衝材８とは一体的に形成され、本実施例においては、緩衝材８としてポリウレタンを使用した。
【００１８】
前記脚部３、４は、図６乃至図８で示す金属等の硬質材で形成された芯材１０を有し、該芯材１０の外周面は図１０乃至図１３に示すように、弾性を有する緩衝材１１で被覆されている。本実施例においては、芯材１０をスチールで形成し、緩衝材１１としてポリウレタンを使用した。
【００１９】
脚部３、４は、垂直部３ａ、４ａを有し、その上部にはテーブル１の内側方向に湾曲して、天板２と略平行な水平部３ｂ、４ｂが形成されている。その水平部３ｂ、４ｂには脚部３、４を天板２に取り付けるための取付部１２、１２が一体に成形されている。なお、各脚部３、４は同一構造であるため、図６乃至図１３において前側の１本の脚部３のみを示して説明する。
【００２０】
テーブル１の前側Ａに位置する脚部３の垂直部３ａの下面には、アジャスター１３が回動可能に固設され、テーブル１の後側Ｂに位置する脚部４の垂直部４ａの下面にはキャスター１４が回動可能に固設されている。アジャスター１３を回動することにより、テーブル１の高さ及び天板２の水平を調節することができる。
【００２１】
前側Ａに位置する脚部３、３は、図１、図２に示すように、天板２の全側面２ａ〜２ｄよりも内側に位置して設けられ、かつ、脚部３、３の湾曲方向が前後方向となるように、つまり、水平部３ｂ、３ｂが前後方向に位置するように設けられている。また、図１に示すように、脚部３の垂直部３ａの外側面３ｃと天板２の前側Ａの側面２ａとは略同一平面に位置するように設けられている。
【００２２】
また、後側Ｂに位置する脚部４、４の垂直部４ａ、４ａは、図１、図２に示すように、天板２の左右に位置する側面２ｃ、２ｄよりも外方向に突出して設けられ、該垂直部４ａの内側面４ｃは、天板２の左右の側面２ｃ、２ｄよりも外側に位置するように設けられている。また、脚部４、４の湾曲方向が左右方向となるように、つまり、水平部４ｂ、４ｂが左右方向に位置し、脚部４、４の湾曲方向が、脚部３、３の湾曲方向とは直交する方向に設けられている。
【００２３】
天板２の裏面には、図２及び図３に示すように、脚部３、４を取り付けるための雌ネジ２０が設けられ、脚部３、４の取付部１２には、表裏を貫通する取付穴２２が設けられている。ボルト２４を取付穴２２に挿通し、天板２の雌ネジ２０に螺合することにより、脚部３、４は天板２の裏面に固定される。
【００２４】
また、脚部３、４の水平部３ｂ、４ｂの下面には凹部２３が設けられ、該凹部２３には、緩衝材１１よりも硬い樹脂製のキャップ２５が嵌合して設けられている。
【００２５】
なお、図１０乃至図１３に示すように、芯材１０の下面のアジャスター１３又はキャスター１４の取付部及び上面、取付穴２２内、凹部２３内は、緩衝材１１で被覆されていないが、その他の部分は緩衝材１１で被覆されている。
【００２６】
次に、前記天板２の製造方法を説明する。
先ず、天板２の芯材５の上面を表面材６で被覆し、該芯材５の下面を裏面材７で被覆して主体部２Ａを形成する。
【００２７】
次に、芯材５に表面材６と裏面材７を張付けた主体部２Ａを、成形型の台座３０の上部の所定の位置に配置した後に、図４、図５に示すように、主体部２Ａの側周部の全周に金型３１を取り付ける。この金型３１と主体部２Ａの側面５ａとの間には、図５に示すような成形空間３１ａが形成される。
【００２８】
次に、緩衝材８となるポリウレタンの原料である主剤と硬化剤を所定の比率で混合した溶液を、金型３１の注入口３２より金型３１と主体部２Ａとの間の成形空間３１ａ内に注入し、加熱等をして、ポリウレタンからなる緩衝材８を、主体部２Ａの側部２Ｂと一体にモールド成形する。そして、脱型することにより、図３に示すように、主体部２Ａの外周側面に緩衝材８を配設した天板２となる。また、成形時には、前記緩衝材８となる原料が芯材５の凹部５ｂ内に充填密着して成形された緩衝材８の凸部８ｂが、芯材５と強固に連結される。また、成形された緩衝材８と主体部２Ａの側面２Ｂも密着して強固に連結される。
【００２９】
このため、緩衝材８の硬さが軟らかいものにおいても、従来技術の天板とは異なり、緩衝材８と主体部２Ａとの接着性が高く、緩衝材８が主体部２Ａから抜け落ちることがない。
【００３０】
次に、前記脚部３、４の製造方法を説明する。
先ず、図９に示すように、脚部３、４の芯材１０を金型３５、３６内の所定の位置に配置する。芯材１０の外周部と金型３５、３６との間には、図９に示すように、成形空間３８が形成されている。
【００３１】
次に、緩衝材１１となるポリウレタンの原料である主剤と硬化剤を所定の比率で混合した溶液を、金型３５、３６の注入口３７より金型３５、３６と芯材１０との間の成形空間３８内に注入し、加熱等をして、ポリウレタンからなる緩衝材１１を、芯材１０の外周部と一体にモールド成形する。そして、脱型することにより、図１０乃至図１３に示すように、芯材１０の外周部が緩衝材１１で被覆された脚３ｄ、４ｄとなる。
【００３２】
そして、成形された脚３ｄ、４ｄの凹部２３にキャップ２５を嵌合して取り付け、脚３の下部にはアジャスター１３を取り付け、脚４の下部にはキャスター１４を取り付けて脚部３、４となる。
【００３３】
上記のように緩衝材１１を芯材１０に一体に成形するため、緩衝材１１を有する脚部３、４の製造が容易である。
【００３４】
本考案のテーブル１は上記の構造を有するために、次のような効果、作用を奏する。
テーブル１の天板２の側周部に緩衝材８を配設し、脚部３、４の外周部を緩衝材１１で覆っていることから、テーブル１の天板２の側部や角、又は脚部３、４に乳幼児等の頭等が衝突した場合においても、緩衝材８、１１によりその衝突の衝撃が緩和され、乳幼児等が怪我をする虞を低減できる。
【００３５】
また、前記のように、前後方向の一方の側である前側の脚部３を天板２の側面２ｃ、２ｄより突出することなく設け、他方である後部の脚部４を天板２の左右の側面よりも突出して設けられていることで、テーブル１を他のテーブル１の上部に重ねて収納する場合、図１４、図１５に示すように、上部のテーブル１における前側の脚部３を下側のテーブル１の天板２の前側に位置させ、上部のテーブル１における後側の脚部４を、下部のテーブル１の後側の脚部４の前側に当接させることにより、各テーブル１を、各脚部３、４が相互に干渉することなく積み重ねることができる。つまり、スタッキングができ、収納性が良い。
【００３６】
また、テーブル１を他のテーブル１の上部に重ねた場合に、脚部３、４の水平部３ｂ、４ｂの下面に設けた樹脂製のキャップ２５が、他のテーブル１の天板２の上面と当接するため、テーブル１の天板２の損傷を防止できる。
【００３７】
また、テーブル１のと他のテーブル１との接触が、緩衝材１１ではなくキャップ２５でを介して行なわれるために、テーブル１、１の天板２、２間の距離が安定し、テーブル１の積み重ねが安定する。
【図面の簡単な説明】
【００３８】
【図１】本考案の実施例におけるテーブルを示すもので，右半分は上面図、左半分は裏面図。
【図２】図１のテーブルにおいて左半分を断面とした前面図。
【図３】本考案の実施例における天板の拡大縦断面図。
【図４】本考案の実施例における天板の製造方法を説明するための金型の模式図。
【図５】図４のＣ−Ｃ線断面図。
【図６】本考案の実施例における脚部の芯材の背面図。
【図７】図６の下面図。
【図８】図６の側面図。
【図９】本考案の実施例における脚部の製造方法を説明するための金型の模式図。
【図１０】本考案の実施例における脚の背面図。
【図１１】図１０の下面図。
【図１２】図１０の側面図。
【図１３】本考案の実施例における脚部の部分側断面図。
【図１４】本考案のテーブルを重ねて収納した状態の前面図。
【図１５】図１４の側面図。
【符号の説明】
【００３９】
１    テーブル
２    天板
２Ａ  天板の主体部
３、４    脚部
３ａ、４ａ  垂直部
４ｃ  脚部の垂直部の内側面
５    天板の芯材
８、１１  緩衝材
１０  脚部の芯材
【図１】
0003118117.tif 000003
【図２】
0003118117.tif 000004
【図３】
0003118117.tif 000005
【図４】
0003118117.tif 000006
【図５】
0003118117.tif 000007
【図６】
0003118117.tif 000008
【図７】
0003118117.tif 000009
【図８】
0003118117.tif 000010
【図９】
0003118117.tif 000011
【図１０】
0003118117.tif 000012
【図１１】
0003118117.tif 000013
【図１２】
0003118117.tif 000014
【図１３】
0003118117.tif 000015
【図１４】
0003118117.tif 000016
【図１５】
0003118117.tif 000017